(57)【特許請求の範囲】
【請求項１】
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段による隣接した２回の前記検出タイミング間の時間間隔を計数する間隔計数手段と、
前記間隔計数手段により計数された時間間隔を順次記憶する記憶手段と、
前記判定手段により連続検出であると判定された場合に、所定の機能を実行する制御手段と、
を備え、
前記判定手段は、前記回転検出手段による前記検出がなされる毎に、計数された直近の（前記所定回数−１）個の時間間隔を積算して、当該積算された時間間隔が前記単位時間未満である場合には、連続検出であると判定する
ことを特徴とする電子時計。
【請求項２】
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
所定のタイミングからの経過時間を計数する第１経過時間計数手段と、
前記回転検出手段による前記検出タイミングにおける前記経過時間を順次記憶する記憶手段と、
前記判定手段により連続検出であると判定された場合に、所定の機能を実行する制御手段と、
を備え、
前記判定手段は、前記回転検出手段による前記検出がなされる毎に、当該検出タイミングにおける前記経過時間と、前記記憶手段に記憶された（前記所定回数−１）回前の前記経過時間との時間差を算出し、当該算出された時間差が前記単位時間未満である場合には、連続検出であると判定する
ことを特徴とする電子時計。
【請求項３】
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段により第１の前記検出が行われたタイミングからの経過時間を計数する第２経過時間計数手段と、
前記回転検出手段により第２の前記検出が行われたタイミングでの前記経過時間を記憶する記憶手段と、
前記判定手段により連続検出であると判定された場合に、所定の機能を実行する制御手段と、
を備え、
前記判定手段は、
前記記憶手段が前記経過時間を記憶した状態で、前記第２経過時間計数手段が前記単位時間を計数する前に前記回転検出手段による前記検出が行われた場合には、連続検出と判定する連続検出判定手段と、
前記記憶手段が前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第１基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする電子時計。
【請求項４】
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段により第１の前記検出が行われたタイミングからの経過時間を計数する第２経過時間計数手段と、
前記回転検出手段により前記検出が行われたタイミングでの前記経過時間を直近の（前記所定回数−２）個記憶する記憶手段と、
前記判定手段により連続検出であると判定された場合に、所定の機能を実行する制御手段と、
を備え、
前記所定回数は、４以上であり、
前記判定手段は、
前記記憶手段が（前記所定回数−２）個の前記経過時間を記憶した状態で、前記第２経過時間計数手段が前記単位時間を計数する前に前記回転検出手段による前記検出が行われた場合には、連続検出と判定する連続検出判定手段と、
前記記憶手段が少なくとも２つの前記経過時間を記憶した状態で、前記第２経過時間計数手段により前記単位時間が計数された場合には、前記記憶手段に記憶させた前記経過時間のうち、最も小さい値を前記第２経過時間計数手段が計数した経過時間及び前記記憶手段に記憶させた他の前記経過時間からそれぞれ減算すると共に、当該最も小さい値を前記記憶手段から消去する第２基準タイミング変更手段と、
前記記憶手段が１つの前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第３基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする電子時計。
【請求項５】
所定の計数値を計数する計数手段を備え、
前記制御手段は、
前記回転検出手段により回転が検出されるごとに、前記計数手段の計数値を所定数変更し、前記判定手段により前記連続検出であると判定された場合に、前記所定の機能として当該計数値を所定の速度で前記所定数ずつ連続的に変更する
ことを特徴とする請求項１〜４の何れか一項に記載の電子時計。
【請求項６】
指針と、
指針を駆動するステッピングモータと、
を備え、
前記制御手段は、前記ステッピングモータを動作させて、前記所定数に対応する位置に前記指針を移動させる
ことを特徴とする請求項５に記載の電子時計。
【請求項７】
回転スイッチを備えた電子時計の操作検出方法であって、
当該回転スイッチの回転を所定の回転角度ごとに検出する回転検出ステップと、
前記回転検出ステップによる検出回数が、一の検出タイミングから予め設定された単位時間内に２以上の所定回数以上となった場合に、連続検出であると判定する判定ステップと、
前記回転検出ステップによる隣接した２回の前記検出タイミング間の時間間隔を計数する間隔計数ステップと、
前記間隔計数ステップにより計数された時間間隔を順次記憶する記憶ステップと、
前記判定ステップで連続検出であると判定された場合に、所定の機能を実行する制御ステップと、
を含み、
前記判定ステップは、前記回転検出ステップによる前記検出がなされる毎に、計数された直近の（前記所定回数−１）個の時間間隔を積算して、当該積算された時間間隔が前記単位時間未満である場合には、連続検出であると判定する
ことを特徴とする電子時計の操作検出方法。
【発明の詳細な説明】
【技術分野】
【０００１】
この発明は、回転スイッチを備えた電子時計、及び、電子時計の操作検出方法に関する。
【背景技術】
【０００２】
従来、リューズ（竜頭）と呼ばれる回転スイッチを備えた時計がある。このリューズは、主に指針を備えたアナログ腕時計に設けられ、リューズの回転に連動して指針が回転移動する構成となっている。
【０００３】
このリューズは、電気信号によりステッピングモータを駆動することで指針を回転移動させる電子腕時計にも備えられている場合がある。このような電子腕時計が備えるリューズとして、例えば、リューズの回転と連動して回転する磁石を備え、この磁石の回転を磁気センサにより検出することでリューズの回転動作を認識して、この回転動作量に対応したステップ数ステッピングモータを駆動して指針を回転移動させる構成を有するものがある（例えば、特許文献１、特許文献２）。
【０００４】
このように、電子腕時計に用いられるリューズでは、リューズの回転が直接機械的に指針の回転移動を行わせる訳ではない。従って、リューズを備えた電子腕時計では、このリューズの回転動作が検出された場合に、検出された回転動作の回数と同等のステップ数指針を移動させるだけではなく、更に、他の機能を実現させることが出来る。このような他の機能の一つとして、予め定められた単位時間内に所定の複数回数以上リューズの回転動作が検出された場合に、継続的な指針の早送り状態に移行させる電子腕時計がある。
【先行技術文献】
【特許文献】
【０００５】
【特許文献１】特開２００８−１２２３７７号公報
【特許文献２】特開２０１０−２８７３２５号公報
【発明の概要】
【発明が解決しようとする課題】
【０００６】
しかしながら、従来の電子腕時計では、リューズの連続的な回転動作の検出方法に問題があった。即ち、従来の電子腕時計では、一度リューズの回転動作が検出されると、このタイミングでタイムカウンタが作動し、この作動タイミングを基準として単位時間ごとに区切られた各期間内でそれぞれリューズの回転ステップ数を計数する構成であった。従って、２つの期間を跨いで連続的なリューズの回転動作が行われると、各々の単位時間内でのステップ数が所定の複数ステップ数に達しないことで、連続的な回転動作と判断されず、ユーザの意図通りに動作しないという課題があった。
【０００７】
この発明の目的は、回転スイッチの連続動作を確実に認識することのできる電子時計、及び、電子時計の操作検出方法を提供することにある。
【課題を解決するための手段】
【０００８】
本発明は、上記目的を達成するため、
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段による隣接した２回の前記検出タイミング間の時間間隔を計数する間隔計数手段と、
前記間隔計数手段により計数された時間間隔を順次記憶する記憶手段と、
前記判定手段により連続検出であると判定された場合に、所定の機能を実行する制御手段と、
を備え、
前記判定手段は、前記回転検出手段による前記検出がなされる毎に、計数された直近の（前記所定回数−１）個の時間間隔を積算して、当該積算された時間間隔が前記単位時間未満である場合には、連続検出であると判定する
ことを特徴とする電子時計である。
また、本発明は、上記目的を達成するため、
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
所定のタイミングからの経過時間を計数する第１経過時間計数手段と、
前記回転検出手段による前記検出タイミングにおける前記経過時間を順次記憶する記憶手段と、
前記判定手段により連続検出であると判定された場合に、所定の機能を実行する制御手段と、
を備え、
前記判定手段は、前記回転検出手段による前記検出がなされる毎に、当該検出タイミングにおける前記経過時間と、前記記憶手段に記憶された（前記所定回数−１）回前の前記経過時間との時間差を算出し、当該算出された時間差が前記単位時間未満である場合には、連続検出であると判定する
ことを特徴とする電子時計である。
また、本発明は、上記目的を達成するため、
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段により第１の前記検出が行われたタイミングからの経過時間を計数する第２経過時間計数手段と、
前記回転検出手段により第２の前記検出が行われたタイミングでの前記経過時間を記憶する記憶手段と、
前記判定手段により連続検出であると判定された場合に、所定の機能を実行する制御手段と、
を備え、
前記判定手段は、
前記記憶手段が前記経過時間を記憶した状態で、前記第２経過時間計数手段が前記単位時間を計数する前に前記回転検出手段による前記検出が行われた場合には、連続検出と判定する連続検出判定手段と、
前記記憶手段が前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第１基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする電子時計である。
また、本発明は、上記目的を達成するため、
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記回転検出手段により第１の前記検出が行われたタイミングからの経過時間を計数する第２経過時間計数手段と、
前記回転検出手段により前記検出が行われたタイミングでの前記経過時間を直近の（前記所定回数−２）個記憶する記憶手段と、
前記判定手段により連続検出であると判定された場合に、所定の機能を実行する制御手段と、
を備え、
前記所定回数は、４以上であり、
前記判定手段は、
前記記憶手段が（前記所定回数−２）個の前記経過時間を記憶した状態で、前記第２経過時間計数手段が前記単位時間を計数する前に前記回転検出手段による前記検出が行われた場合には、連続検出と判定する連続検出判定手段と、
前記記憶手段が少なくとも２つの前記経過時間を記憶した状態で、前記第２経過時間計数手段により前記単位時間が計数された場合には、前記記憶手段に記憶させた前記経過時間のうち、最も小さい値を前記第２経過時間計数手段が計数した経過時間及び前記記憶手段に記憶させた他の前記経過時間からそれぞれ減算すると共に、当該最も小さい値を前記記憶手段から消去する第２基準タイミング変更手段と、
前記記憶手段が１つの前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第３基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする電子時計である。
また、本発明は、上記目的を達成するため、
回転スイッチと、
当該回転スイッチの回転を所定の回転角度ごとに検出する回転検出手段と、
前記回転検出手段による隣接した２回の検出タイミング間の時間間隔を計数する間隔計数手段と、
前記間隔計数手段により計数された時間間隔を順次記憶する記憶手段と、
計数された直近の所定数個の時間間隔に基づいて、連続検出であると判定する判定手段と、
前記判定手段により連続検出であると判定された場合に、所定の機能を実行する制御手段と、
を備えることを特徴とする電子時計である。
【発明の効果】
【０００９】
本発明に従うと、電子時計において、回転スイッチの連続動作を確実に認識することができるという効果がある。
【図面の簡単な説明】
【００１０】
【図１】本発明の実施形態の電子時計の内部構成を示すブロック図である。
【図２】第１実施形態のリューズ操作検出処理を説明する図である。
【図３】第１実施形態のリューズ操作検出処理の制御手順を示すフローチャートである。
【図４】第１実施形態のリューズ操作検出処理の制御手順の変形例を示すフローチャートである。
【図５】第２実施形態のリューズ操作検出処理を説明する図である。
【図６】第２実施形態のリューズ操作検出処理の制御手順を示すフローチャートである。
【図７】第３実施形態のリューズ操作検出処理を説明する図である。
【図８】第３実施形態のリューズ操作検出処理の制御手順を示すフローチャートである。
【発明を実施するための形態】
【００１１】
以下、本発明の実施の形態を図面に基づいて説明する。
【００１２】
［第１実施形態］
図１は、第１実施形態の電子時計の内部構成を示すブロック図である。
【００１３】
本実施形態の電子時計１は、３本の指針を独立に運針可能なアナログ電子時計である。電子時計１は、時針２と、輪列機構３２を介して時針２を回動させる時針駆動部４２と、分針３と、輪列機構３３を介して分針３を回動させる分針駆動部４３と、秒針４と、輪列機構３４を介して秒針４を回動させる秒針駆動部４４と、ＣＰＵ（Central Processing Unit）４６（判定手段、制御手段、間隔計数手段、第１経過時間計数手段、第２経過時間計数手段、連続検出判定手段、第１基準タイミング変更手段、第２基準タイミング変更手段、第３基準タイミング変更手段、計数初期化手段）と、ＲＯＭ（Read Only Memory）４７と、記憶手段としてのＲＡＭ（Random Access Memory）４８と、電源部５０と、発振回路５１と、分周回路５２と、計数手段としての計時回路５３と、回転検出手段としての操作部５４と、などを備えている。
【００１４】
ＣＰＵ４６は、各種演算処理を行い、また、電子時計１の全体動作を制御統括する。ＲＡＭ４８は、ＣＰＵ４６に作業用のメモリ空間を提供し、一時データを記憶する。ＲＯＭ４７は、ＣＰＵ４６が実行する各種プログラムや、これら各種プログラムにおいて利用される初期設定データを格納する。ＲＯＭ４７に記憶された各種プログラムには、後述するリューズ５４ｂの回転動作を検出して当該検出結果に基づき動作を制御するリューズ操作検出プログラム４７ａが含まれている。ＲＯＭ４７に格納されたプログラムや初期設定データは、電子時計１の起動時、又は、必要に応じてＣＰＵ４６により読み出され、ＲＡＭ４８上に展開されて実行、利用される。
なお、ＲＯＭ４７は、書き換え可能なフラッシュメモリやＥＥＰＲＯＭ（Electrically Erasable and Programmable Read Only Memory）といった種々の不揮発性メモリであっても良い。
【００１５】
電源部５０は、ＣＰＵ４６に対し、動作に必要な電力を供給する。この電源部５０は、特には限られないが、例えば、太陽電池と二次電池とを組み合わせて、長期的且つ安定的に電力を供給可能としたものである。
【００１６】
発振回路５１は、所定の周波数信号を生成して分周回路５２に出力する。分周回路５２は、発振回路５１から入力された周波数信号を分周し、ＣＰＵ４６からの制御信号により設定された周波数の信号を生成してＣＰＵ４６に出力する。また、分周回路５２は、予め定められた周波数信号（例えば、１秒信号）を生成して、計時回路５３に出力する。計時回路５３は、入力された周波数信号をカウントして時刻を計数するカウンタである。また、計時回路５３が計数する時刻データは、ＣＰＵ４６からの修正命令に基づいて修正可能となっている。
【００１７】
時針駆動部４２、分針駆動部４３、及び、秒針駆動部４４（以降、まとめて指針駆動部４２〜４４とも記す）は、それぞれステッピングモータを備え、ＣＰＵ４６から入力される駆動信号（パルス）に基づき、時針２、分針３、及び、秒針４（以降、まとめて指針２〜４とも記す）をそれぞれ独立に駆動することが可能となっている。
【００１８】
操作部５４は、ユーザによる外部からの操作を受け付け、電気信号に変換して入力信号としてＣＰＵ４６に出力する。この操作部５４には、１又は複数の押しボタン５４ａと、リューズ５４ｂ（回転スイッチ）とが含まれる。押しボタン５４ａが押下されることによって、電子時計１で実行可能な機能が切り替えられたり、後述するリューズ５４ｂを用いて移動させる指針を選択したりする。
【００１９】
リューズ５４ｂは、ユーザによる回転操作が可能であり、この回転操作を検出し、電気信号に変換して入力信号としてＣＰＵ４６に出力する回転スイッチである。このリューズ５４ｂは、電子時計１のケーシングから所定の長さ外側に引き出されることで操作モードに入り、この操作モードにおいて、所定の角度の回転動作が検出されることで、入力信号が生成される。リューズ５４ｂの回転動作を検出する方法としては、従来公知の種々の技術を適用可能である。ＣＰＵ４６は、リューズ５４ｂから入力信号が入力されると、予め押しボタン５４ａを用いて選択設定されている指針２〜４の何れかに対応する指針駆動部４２〜４４に駆動信号を出力して、指針２〜４の何れかを所定角度回転動作させる。なお、リューズ５４ｂの引き出し長さを複数段階に変更可能であり、この引き出し長さに応じて回転動作させる指針を選択することとしても良い。また、このリューズ５４ｂで所定の時間内に複数の入力信号が連続して生成され、これらの入力信号がＣＰＵ４６により連続信号、即ち、リューズ５４ｂの連続動作であると判定されると、予め設定された機能がＣＰＵ４６により実行される。本実施形態の電子時計１では、この予め設定された機能として、ＣＰＵ４６は、上記選択設定されている指針２〜４の何れかを所定の早送り速度で早送り移動させる。
【００２０】
次に、本実施形態の電子時計１における指針の早送り移動命令の検出動作について説明する。
【００２１】
図２（ａ）は、第１実施形態の電子時計１におけるリューズ５４ｂによる指針早送り移動命令の検出動作について説明する図である。
【００２２】
先ず、リューズ５４ｂで最初の回転動作が検出されると、電子時計１では、この検出タイミングを基準として１６Ｈｚ信号の取得を開始し（図２（ａ１））、１／１６秒ごとに入力される１６Ｈｚ信号の入力回数を最大８までカウントする。そして、カウント値が８に達する前に２回目の回転動作が検出されると、そのタイミングでのカウント値を「１回前カウント値」としてＲＡＭ４８に記憶させると共に、１６Ｈｚ信号のカウント値をリセットして再び０からカウントを開始する（図２（ａ２））。
【００２３】
更に、カウント値が８に達する前に３回目の回転動作が検出されると、１回前カウント値を２回前カウント値としてＲＡＭ４８上で設定しなおし、また、現在のカウント値を新たな１回前カウント値としてＲＡＭ４８に記憶させる。即ち、２回前カウント値は、１回目の回転検出タイミングから２回目の回転検出タイミングまでの時間間隔となり、１回前カウント値は、２回目の回転検出タイミングから３回目の回転検出タイミングまでの時間間隔となる。従って、これら１回前カウント値と２回前カウント値の和が１回目の回転検出タイミングから３回目の回転検出タイミングまでの経過時間である。そこで、電子時計１では、３回目の回転動作が検出されて、２回前カウント値と１回前カウント値とがそれぞれ設定されると、これらの値を加算することで、３回の回転動作が８／１６秒（０．５秒）未満の間に行われたか否かを判定する（図２（ａ３））。
【００２４】
加算結果の値が８以上の場合には、３回の回転動作が０．５秒未満の間に行われていないことになる。この場合には、１６Ｈｚカウンタのカウント値をリセットして、再び０からカウントを開始する。そして、回転動作が検出される毎に１回前カウント値を２回前カウント値に変更し、また、現在のカウント値を１回前カウント値として記憶させる。それから、１回前カウント値と２回前カウント値を加算して、０．５秒以内に直近の３回の回転動作が行われたかの判定を繰り返す（図２（ａ４）、（ａ５）、（ａ６））。
【００２５】
１回前カウント値と２回前カウント値の加算結果の値が８未満の場合には、３回の回転動作が０．５秒未満の間に連続して行われたことになる（図２（ａ６））。この場合には、電子時計１では、当該指針の早送りモードに移行して、別途、押しボタン５４ａへの操作入力による停止指示があるまで、又は、所定のステップ数（例えば、指針が文字盤を一周するステップ数）や位置（例えば、１２時方向）への早送りが終了するまで、指針を早送りさせる。
【００２６】
本実施形態の電子時計１では、プログラム内で１６Ｈｚ信号のカウント数を示す変数を１ずつ増加させることでソフトウェア的に現在カウント値の計数を行う。或いは、別途カウンタ回路を備え、１６Ｈｚ信号をカウントさせることも可能である。
【００２７】
図３は、第１実施形態の電子時計１におけるリューズ操作検出処理のＣＰＵ４６による制御手順を示すフローチャートである。
【００２８】
リューズ操作検出処理は、例えば、リューズ５４ｂの引き出し動作が検出された際に呼び出されて、リューズ５４ｂが押戻されるまで、ＣＰＵ４６により実行される。
【００２９】
リューズ操作検出処理が開始されると、ＣＰＵ４６は、先ず、ＲＡＭ４８上に設定される１回前カウント値及び２回前カウント値のメモリをそれぞれクリアする（ステップＳ１１）。また、ＣＰＵ４６は、現在のカウント値をリセットして「０」とする（ステップＳ１２）。
【００３０】
続いて、ＣＰＵ４６は、リューズ動作の検出に係るリューズ５４ｂからの入力信号（検出入力）があったか否かを判別する（ステップＳ１３）。リューズ動作の検出入力が無いと判別された場合には、ＣＰＵ４６は、現在のカウント値が８以上であるか否かを判別する（ステップＳ１４）。現在のカウント値が８未満であると判別された場合には、ＣＰＵ４６の処理は、そのままステップＳ１３に戻り、リューズ動作の検出入力の有無に係る判別処理を繰り返す。現在のカウント値が８以上であると判別された場合には、ＣＰＵ４６の処理は、ステップＳ１１に戻り、リューズ操作検出処理を最初からやり直す。
【００３１】
ステップＳ１３の判別処理で、リューズ動作の検出入力があったと判別された場合には、ＣＰＵ４６は、このリューズ動作の検出入力が１回目のものであるか否かを判別する（ステップＳ１５）。１回目のものであると判別された場合には、ＣＰＵ４６は、分周回路５２から１６Ｈｚ信号を取得して、現在カウント値のカウントを開始する（ステップＳ１６）。それから、ＣＰＵ４６の処理は、ステップＳ１３に戻り、次のリューズ動作の検出入力を待ち受ける。
【００３２】
ステップＳ１５の判別処理で、リューズ動作の検出入力が２回目以降のものであると判別された場合には、ＣＰＵ４６は、次に、ＲＡＭ４８上で１回前カウント値を２回前カウント値に設定しなおす（ステップＳ１７）。このとき、リューズ動作の検出入力が２回目で、まだ１回前カウント値及び２回前カウント値が何れもクリアされた状態の場合には、２回前カウント値は、引き続きクリアされた状態となる。続いて、ＣＰＵ４６は、現在カウント値を１回前カウント値としてＲＡＭ４８に記憶させる（ステップＳ１８）。それから、ＣＰＵ４６は、１回前カウント値と２回前カウント値とが何れも保持されているか否かを判別する（ステップＳ１９）。１回前カウント値又は２回前カウント値が保持されていない、即ち、クリアされた状態であると判別された場合には、ＣＰＵ４６の処理は、ステップＳ１２に戻り、ＣＰＵ４６は、現在カウント値をリセットして次のリューズ動作の検出入力を待ち受ける。
【００３３】
１回前カウント値及び２回前カウント値が何れも保持されていると判別された場合には、ＣＰＵ４６は、次に、これら１回前カウント値と２回前カウント値との和を計算し、この和の値が８未満であるか否かを判別する（ステップＳ２０）。和の値が８未満ではないと判別された場合には、ＣＰＵ４６の処理は、ステップＳ１２に戻る。一方、和の値が８未満であると判別された場合には、ＣＰＵ４６は、選択されている指針の早送り処理を開始する（ステップＳ２１）。そして、指針の早送り処理が終了すると、ＣＰＵ４６の処理は、ステップＳ１１に戻って、リューズ操作検出処理を最初からやり直す。
【００３４】
以上のように、第１実施形態の電子時計１は、リューズ５４ｂを含む操作部５４を備え、この操作部５４では、リューズ５４ｂの回転を所定の回転角度ごとに検出して信号をＣＰＵ４６へ出力する。ＣＰＵ４６は、１６Ｈｚ信号を用いてこの操作部５４からの入力信号（検出入力）の時間間隔を計測し、計測された直近３回の検出入力の時間間隔が単位時間（０．５秒）以内であるか否かを判別することで、これら３回のリューズ操作が連続入力であるか否かを判定する。即ち、従来の連続検出の行い方と違い、連続した３回のリューズの回転動作に基づき確実に連続検出を行うことが出来る。
【００３５】
また、検出入力があるごとに、計測された当該検出入力と前回の検出入力との時間間隔がＲＡＭ４８に記憶され、２回前の検出入力から１回前の検出入力の時間間隔である２回前カウント値と、１回前の検出入力から今回の検出入力の時間間隔である１回前カウント値との和により、当該３回の検出入力の時間間隔が所定の単位時間（０．５秒）以内であるかを判別する。このように、各検出入力間の時間間隔を毎回記憶させ、連続動作の判定基準として設定された回数−１回の当該時間間隔の和を計算するだけでよいので、複雑な処理を必要とせず、容易に連続動作の判定の基準として設定された回数のリューズ操作が連続して行われたか否かを判別することが出来る。
【００３６】
また、特に、現在時刻やアラーム設定時刻など、時刻数値の手動修正を行う際に、リューズ５４ｂの連続動作を的確に判定して時刻数値の早送りに移行させることが出来るので、電子時計１におけるユーザの動作負担を軽減させることが出来る。
【００３７】
また、特に、アナログの電子時計１に用いることで、従来のアナログ時計と同様にリューズ５４ｂを利用可能とするだけではなく、更に、ユーザの負担を抑えながら指針２〜４の回転移動を行わせることが出来る。
【００３８】
［変形例］
図２（ｂ）は、電子時計１におけるリューズ５４ｂによる指針早送り移動命令の検出動作の変形例について説明する図である。
【００３９】
この変形例では、２回目以降にリューズの回転動作が検出された場合（図２（ｂ２〜ｂ６））、その時点で保持されていた１回前カウント値と現在カウント値との和を求めることで３回のリューズ動作の時間間隔を算出して、連続動作であるか否かを判定する。そして、判定後に、現在カウント値を１回前カウント値としてＲＡＭ４８に記憶させ、また、現在カウント値をリセットする。この変形例では、２回目カウント値を保持、利用しない。
【００４０】
図４は、第１実施形態の電子時計１におけるリューズ操作検出処理の制御手順の変形例を示すフローチャートである。
【００４１】
この変形例のリューズ操作検出処理は、第１実施形態のリューズ操作検出処理のうち、ステップＳ１１、Ｓ１９、Ｓ２０がそれぞれステップＳ１１ａ、Ｓ１９ａ、Ｓ２０ａに変更され、また、ステップＳ１７の処理を削除すると共に、ステップＳ１８の処理の順番が変更されて、ステップＳ１９ａの処理の後にステップＳ１８の処理が行われる。その他の処理は同一であり、同一の符号を付して説明を省略する。
【００４２】
この変形例のリューズ操作検出処理では、２回前カウント値を保持しないので、先ず、リューズ操作検出処理が開始されると、ＣＰＵ４６は、ＲＡＭ４８上に設定された１回前カウント値のメモリのみをクリアする（ステップＳ１１ａ）。また、ステップＳ１５の処理でリューズ動作の検出入力が２回目以降と判別された場合には、ＣＰＵ４６の処理は、ステップＳ１９ａに移行し、ＣＰＵ４６は、１回前カウント値のデータがＲＡＭ４８に記憶されているか否かを判別する。１回前カウント値のデータがＲＡＭ４８に記憶されていると判別された場合には、ＣＰＵ４６は、現在カウント値と１回前カウント値との和を計算し、この和の値が８未満であるか否かを判別する（ステップＳ２０ａ）。和の値が８未満であると判別された場合には、ＣＰＵ４６の処理は、ステップＳ２１に移行する。和の値が８未満ではないと判別された場合、及び、ステップＳ１９ａの判別処理で１回前カウント値のデータがＲＡＭ４８に記憶されていないと判別された場合には、ＣＰＵ４６は、現在カウント値を１回前カウント値としてＲＡＭ４８に記憶させ（ステップＳ１８）、それから、ＣＰＵ４６の処理をステップＳ１２に戻す。
【００４３】
以上のように、この変形例の電子時計１のリューズ操作検出処理によれば、第１実施形態の電子時計１と同様に、直近の３回のリューズ動作の検出間隔を計数することで、容易且つ確実に連続動作の判定を行うことが出来る。
【００４４】
［第２実施形態］
次に第２実施形態の電子時計１について説明する。
第２実施形態の電子時計１の内部構成は、第１実施形態の電子時計と同一であり、同一の符号を付して説明を省略する。
【００４５】
図５は、第２実施形態の電子時計１におけるリューズ５４ｂによる指針早送り移動命令の検出動作について説明する図である。
【００４６】
第２実施形態の電子時計１では、最初のリューズ回転動作が検出されると、１６Ｈｚ信号の取得を開始される。そして、リューズ回転動作が検出されるごとに、１６Ｈｚ信号のカウント値と、２回前カウント値との差が計算されて、この差が８未満であるか否かにより、３回のリューズ回転動作が連続動作か否かが判定される。この判定結果が否であった場合、及び、２回前カウント値が未だ設定されていない場合には、ＲＡＭ４８上で１回前カウント値が２回前カウント値に変更され、また、現在カウント値が１回前カウント値としてＲＡＭ４８に記憶される。
このとき、現在カウント値と２回前カウント値との差だけが必要な情報であるので、現在カウント値の値をリセットする必要はない。
【００４７】
図６は、第２実施形態の電子時計１におけるリューズ操作検出処理のＣＰＵ４６による制御手順を示すフローチャートである。
【００４８】
この第２実施形態の電子時計１におけるリューズ操作検出処理の制御手順は、第１実施形態の電子時計１におけるリューズ操作検出処理の制御手順から、ステップＳ１４、Ｓ２０の内容がそれぞれステップＳ１４ｂ、Ｓ２０ｂに変更され、また、ステップＳ１６〜Ｓ２０ｂの処理の流れが変更されている。同一の処理内容については、同一の符号を付して説明を省略する。
【００４９】
ステップＳ１３の判別処理で、リューズの回転動作の検出入力が無いと判別された場合に、ＣＰＵ４６は、現在カウント値から１回前カウント値を減算した値を求める。そして、ＣＰＵ４６は、この減算結果の値が８以上であるか否かを判別する（ステップＳ１４ｂ）。減算結果の値が８未満であると判別された場合には、ＣＰＵ４６の処理は、ステップＳ１３に戻り、リューズの回転動作の検出入力の有無に係る判別動作を繰り返す。一方、この減算結果の値が８以上であると判別された場合には、ＣＰＵ４６の処理は、ステップＳ１１に戻り、リューズ操作検出処理を初めからやり直す。
【００５０】
ステップＳ１６の処理で、ＣＰＵ４６は、現在カウント値のカウントを開始する。その後に、ＣＰＵ４６の処理は、ステップＳ１９に移行する。ＣＰＵ４６は、１回前カウント値、及び、２回前カウント値がＲＡＭ４８に記憶されているか否かを判別する（ステップＳ１９）。１回前カウント値及び２回前カウント値が記憶、保持されていると判別された場合には、ＣＰＵ４６は、現在カウント値から２回前カウント値を減算した値を求め、この値が８未満であるか否かを判別する（ステップＳ２０ｂ）。
【００５１】
この減算結果の値が８未満であると判別された場合には、ＣＰＵ４６は、選択された指針の早送り処理を開始する（ステップＳ２１）。一方、減算結果の値が８以上であると判別された場合には、ＣＰＵ４６の処理は、ステップＳ１７に移行する。
【００５２】
また、ステップＳ１９の判別処理で、１回前カウント値又は２回前カウント値がＲＡＭ４８に記憶されていないと判別された場合には、ＣＰＵ４６の処理は、ステップＳ１７に移行する。
【００５３】
ＣＰＵ４６の処理がステップＳ１９又はステップＳ２０ｂの判別処理からステップＳ１７の処理に移行すると、ＣＰＵ４６は、ＲＡＭ４８上の１回前カウント値を２回前カウント値に変更して記憶させる。それから、ＣＰＵ４６は、現在カウント値を１回前カウント値としてＲＡＭ４８に記憶させる（ステップＳ１８）。その後、ＣＰＵ４６は、処理をステップＳ１３に戻す。
【００５４】
以上のように、第２実施形態の電子時計１では、経過時間を計数するカウンタから、リューズ動作が検出されたタイミングでカウント値を取得し、ＲＡＭ４８に記憶させていく。そして、カウンタの現在カウント値とＲＡＭ４８に記憶された２回前カウント値との差を求めることで、この差が単位時間より短いか否かにより連続動作の判定を行うことが出来る。従って、カウンタのリセットが不要となり、容易に３回のリューズ動作の時間間隔を計数し、確実な連続動作の判定を行うことが出来る。
【００５５】
なお、この第２実施形態の電子時計１でリューズ操作検出処理が開始された場合に、ステップＳ１２の処理で、必ずしも現在カウント値をリセットする必要はない。また、ステップＳ１６の処理で、現在カウント値の計数を開始させているが、他の用途で１６Ｈｚ信号の計数が行われている場合には、そのカウント値をそのまま利用することが可能である。
【００５６】
また、本実施形態の電子時計１におけるリューズ操作検出処理では、現在カウント値に最大値が存在しないが、現在カウント値の最小値や最大値を適宜設定し、ステップＳ１４ｂ及びステップＳ２０ｂの処理に、カウント値が最大値から最小値へ変化する場合の処理を追加することで、必要なメモリを適宜なビット数に限定してこのリューズ操作検出処理を行うこととしても良い。例えば、カウント値として１６Ｈｚ精度の現在時刻をそのまま利用することも可能である。
【００５７】
［第３実施形態］
次に第３実施形態の電子時計１について説明する。
第３実施形態の電子時計１の内部構成は、第１実施形態の電子時計と同一であり、同一の符号を付して説明を省略する。
【００５８】
図７は、第３実施形態の電子時計１におけるリューズに５４ｂよる指針早送り移動命令の検出動作について説明する図である。
【００５９】
第３実施形態の電子時計１では、リューズ５４ｂの回転動作が検出されて１６Ｈｚ信号の取得及びカウントが開始されると（図７（ｃ１、ｃ３））、現在カウント値が最大値８になった時点でこの現在カウント値がリセット又は再設定される。先ず、現在カウント値の計数が開始されてから、現在カウント値が８になるまでに２回目の回転動作が検出されなかった場合には、現在カウント値の計数を終了し、現在カウント値をリセットする（図７（ｃ２））。次に、現在カウント値が８になる前に２回目の回転動作が検出された場合には、当該２回目の回転動作が検出されたタイミングにおける現在カウント値を２回目カウント値としてＲＡＭ４８に記憶させる（図７（ｃ４、ｃ６））。
【００６０】
２回目カウント値がＲＡＭ４８に記憶された状態で、現在カウント値が８になる前に３回目の回転動作が検出された場合には、現在カウント値が１回目のリューズ動作の検出タイミングから３回目のリューズ動作の検出タイミングとの間の時間間隔となる。即ち、この時間間隔が取得された時点で５００ｍｓ以内に３回の回転動作が連続して行われたことになるので、早送り処理を開始する（図７（ｃ７））。一方、２回目のカウント値がＲＡＭ４８に記憶された状態で現在カウント値が８になった場合には、「８」から２回目カウント値を減算した値をＲＡＭ４８上で現在カウント値として再設定すると共に、２回目カウント値をクリアする（図７（ｃ５））。このような処理によって、この電子時計１では、以降のリューズ回転動作との間隔が５００ｍｓ以上となった１回目のリューズ回転動作に係るデータをクリアし、２回目のリューズ回転動作のタイミングを１回目のリューズ回転動作として設定変更して、新たに２回目のリューズ回転動作の検出を待ち受けることになる。
【００６１】
図８は、第３実施形態の電子時計１におけるリューズ操作検出処理のＣＰＵ４６による制御手順を示すフローチャートである。
【００６２】
第３実施形態の電子時計１においてＣＰＵ４６により実行されるリューズ操作検出処理は、第１実施形態の電子時計１において実行されるリューズ操作検出処理から、ステップＳ１５、Ｓ１７、Ｓ１９、Ｓ２０の処理が削除され、代わりに、ステップＳ２２、Ｓ２３の処理が追加されている他、ステップＳ１１、Ｓ１８の処理がステップＳ１１ｃ、Ｓ１８ｃの処理に変更され、また、ステップＳ１３、Ｓ１４、Ｓ１６と同一内容の処理が各所で実行されており、それぞれ、ステップＳ１３ｃ〜Ｓ１３ｅ、Ｓ１４ｄ、Ｓ１４ｅ、Ｓ１６ｃとして示されている。ステップＳ１２、Ｓ２１の処理は、第１実施形態の電子時計１と第３実施形態の電子時計１とで同一であり、同一符号を付して説明を省略する。
【００６３】
第３実施形態の電子時計１におけるリューズ操作検出処理が開始されると、ＣＰＵ４６は、先ず、ＲＡＭ４８上に設定された２回目カウント値のメモリをクリアする（ステップＳ１１ｃ）。それから、ＣＰＵ４６は、現在カウント値をリセットして０とした後に（ステップＳ１２）、リューズの回転動作検出信号の入力があったか否かを判別する（ステップＳ１３ｃ）。リューズの回転動作検出信号の入力がないと判別された場合には、リューズ回転動作の検出信号の入力があったと判別されるまで、ステップＳ１３ｃの処理を繰り返す。
【００６４】
ステップＳ１３ｃの処理で、リューズの回転動作検出信号の入力があったと判別された場合には、ＣＰＵ４６は、１６Ｈｚ信号を取得し、現在カウント値のカウントを開始する（ステップＳ１６ｃ）。
【００６５】
続いて、ＣＰＵ４６は、２回目のリューズの回転動作検出信号の入力があったか否かを判別する（ステップＳ１３ｄ）。リューズの回転動作検出信号の入力がないと判別された場合には、ＣＰＵ４６は、現在カウント値が８以上であるか否かを判別する（ステップＳ１４ｄ）。現在カウント値が８未満であると判別された場合には、ＣＰＵ４６の処理は、ステップＳ１３ｄに戻り、２回目のリューズの回転動作検出信号の入力有無に係る判別処理を繰り返す。現在カウント値が８以上であると判別された場合には、ＣＰＵ４６は、処理をステップＳ１１ｃに戻し、リューズ操作検出処理を最初からやり直す。
【００６６】
ステップＳ１３ｄの処理で２回目のリューズの回転動作検出信号の入力があったと判別された場合には、ＣＰＵ４６は、現在のカウント値を２回目カウント値としてＲＡＭ４８に記憶させる（ステップＳ１８ｃ）。それから、更に、ＣＰＵ４６は、３回目のリューズの回転動作検出信号の入力があったか否かを判別する（ステップＳ１３ｅ）。
【００６７】
３回目のリューズ回転動作の検出信号の入力がないと判別された場合には、ＣＰＵ４６は、現在カウント値が８以上であるか否かを判別する（ステップＳ１４ｅ）。現在カウント値が８未満であると判別された場合には、ＣＰＵ４６の処理は、ステップＳ１３ｅに戻り、３回目のリューズ回転動作の入力信号の有無に係る判別処理を繰り返す。
【００６８】
一方、ステップＳ１４ｅの判別処理で現在カウント値が８以上であると判別された場合には、ＣＰＵ４６は、現在カウント値から２回目カウント値を減算し、当該減算結果の値を現在カウント値として設定する（ステップＳ２２）。また、ＣＰＵ４６は、２回目カウント値の値をクリアする（ステップＳ２３）。それから、ＣＰＵ４６は、処理をステップＳ１３ｄに戻す。
【００６９】
ステップＳ１３ｅの判別処理で、３回目のリューズ回転動作の検出信号の入力があったと判別された場合には、ＣＰＵ４６は、選択されている指針の早送り処理を行い、当該指針の早送りを開始させる（ステップＳ２１）。この指針の早送り処理が終了すると、ＣＰＵ４６は、処理をステップＳ１１ｃに戻し、リューズ操作検出処理を最初からやり直す。
【００７０】
以上のように、第３実施形態の電子時計１では、１回目のリューズ動作検出から３回目のリューズ動作検出までの時間間隔を現在カウンタ値で計数する。２回目のリューズ動作が検出された場合には、当該値を２回目カウント値としてＲＡＭ４８に記憶させ、次のリューズ動作検出が３回目であることを示すフラグとして用いると共に、１回目のリューズ動作から５００ｍｓが経過して現在カウント値が８となった場合に、「８」からこの２回目カウント値を減算して現在カウント値を変更し、２回目のリューズ動作を１回目のリューズ動作に設定変更することで、引き続き現在カウント値が１回目のリューズ動作検出から３回目のリューズ動作検出までの時間間隔を計数可能とする。このような処理によって、リューズ動作の検出時、及び、現在カウント値の「８」到達時の動作が分散され、各々簡潔な処理により容易且つ確実に直近３回のリューズ動作の時間間隔を計数して、連続動作の判定を行うことが出来る。
【００７１】
なお、本発明は、上記実施の形態に限られるものではなく、様々な変更が可能である。
例えば、上記実施の形態では、リューズの回転操作がアナログ電子時計の指針位置の移動に用いられる場合について説明したが、指針を有しないデジタル電子時計の設定時刻変更動作などにも用いることが可能である。また、設定時刻等の数値の変更に用いられるだけではなく、機能のオンオフの切替といった他の設定用途に用いる場合にも本発明を適用することが出来る。
【００７２】
また、上記実施の形態では、カウンタを１つとし、１回前カウント値、２回前カウント値、２回目カウント値などをＲＡＭ４８に記憶させてこれらの値を用いることで複数回のリューズ回転動作タイミングのデータを保持することとしたが、複数のカウンタを並列的に動作させることでも複数回のリューズ回転動作のタイミングや、複数個のリューズ回転動作間の時間間隔を計数することができる。
【００７３】
また、上記実施の形態では、リューズの連続動作の判定を行う際の検出回数を３回とした場合について説明したが、他の回数であってもよい。
ここで、第３実施形態の電子時計１では、検出回数を４回以上とする場合には、ＲＡＭ４８に２回目から（検出回数−１）回目までのリューズ回転動作検出タイミングでのカウント値が全て記憶される。そして、（検出回数−１）回目カウント値が記憶された状態で、現在カウント値が８になる前に次のリューズ回転動作が検出された場合に、連続動作と判定される。一方、２個以上のカウント値が記憶された状態で現在カウント値が８になった場合には、現在カウント値と共に、記憶されている３回目以降のカウント値の各々から２回目カウント値を減算し、また、３回目カウント値〜（検出回数−１）回目カウント値のうちＲＡＭ４８に記憶されているものをそれぞれ２回目カウント値〜（検出回数−２）回目カウント値として設定する。その他の場合の処理は、検出回数が３回の場合と同様であり、これらの処理により、検出回数を４回以上とした場合でも、検出回数が３回の場合と同様にリューズの連続動作の判定を行うことができる。
【００７４】
その他、上述の各実施の形態及び変形例で示した構成や動作手順で示した入力信号の周波数、連続動作の判定基準とする単位時間といった具体的な数値や、入れ替え可能な動作の順番などの細部は、本発明の趣旨を逸脱しない範囲において適宜変更可能である。
【００７５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７６】
［付記］
＜請求項１＞
回転スイッチと、
当該回転スイッチの回転を所定の回転角度ごとに検出する回転検出手段と、
前記回転検出手段による検出回数が、一の検出タイミングから予め設定された単位時間内に２以上の所定回数以上となった場合に、連続検出であると判定する判定手段と、
前記判定手段により連続検出であると判定された場合に、所定の機能を実行する制御手段と、
を備えることを特徴とする電子時計。
＜請求項２＞
前記回転検出手段による隣接した２回の前記検出タイミング間の時間間隔を計数する間隔計数手段と、
前記間隔計数手段により計数された時間間隔を順次記憶する記憶手段と、
を備え、
前記判定手段は、前記回転検出手段による前記検出がなされる毎に、計数された直近の（前記所定回数−１）個の時間間隔を積算して、当該積算された時間間隔が前記単位時間未満である場合には、連続検出であると判定する
ことを特徴とする請求項１記載の電子時計。
＜請求項３＞
所定のタイミングからの経過時間を計数する第１経過時間計数手段と、
前記回転検出手段による前記検出タイミングにおける前記経過時間を順次記憶する記憶手段と、
を備え、
前記判定手段は、前記回転検出手段による前記検出がなされる毎に、当該検出タイミングにおける前記経過時間と、前記記憶手段に記憶された（前記所定回数−１）回前の前記経過時間との時間差を算出し、当該算出された時間差が前記単位時間未満である場合には、連続検出であると判定する
ことを特徴とする請求項１記載の電子時計。
＜請求項４＞
前記回転検出手段により第１の前記検出が行われたタイミングからの経過時間を計数する第２経過時間計数手段と、
前記回転検出手段により第２の前記検出が行われたタイミングでの前記経過時間を記憶する記憶手段と、
を備え、
前記判定手段は、
前記記憶手段が前記経過時間を記憶した状態で、前記第２経過時間計数手段が前記単位時間を計数する前に前記回転検出手段による前記検出が行われた場合には、連続検出と判定する連続検出判定手段と、
前記記憶手段が前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第１基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする請求項１記載の電子時計。
＜請求項５＞
前記回転検出手段により第１の前記検出が行われたタイミングからの経過時間を計数する第２経過時間計数手段と、
前記回転検出手段により前記検出が行われたタイミングでの前記経過時間を直近の（前記所定回数−２）個記憶する記憶手段と、
を備え、
前記所定回数は、４以上であり、
前記判定手段は、
前記記憶手段が（前記所定回数−２）個の前記経過時間を記憶した状態で、前記第２経過時間計数手段が前記単位時間を計数する前に前記回転検出手段による前記検出が行われた場合には、連続検出と判定する連続検出判定手段と、
前記記憶手段が少なくとも２つの前記経過時間を記憶した状態で、前記第２経過時間計数手段により前記単位時間が計数された場合には、前記記憶手段に記憶させた前記経過時間のうち、最も小さい値を前記第２経過時間計数手段が計数した経過時間及び前記記憶手段に記憶させた他の前記経過時間からそれぞれ減算すると共に、当該最も小さい値を前記記憶手段から消去する第２基準タイミング変更手段と、
前記記憶手段が１つの前記経過時間を記憶した状態で、前記第２経過時間計数手段により前記単位時間が計数された場合には、前記記憶手段に記憶させた前記経過時間を前記第２経過時間計数手段により計数された経過時間から減算すると共に、当該記憶手段に記憶された前記経過時間を消去する第３基準タイミング変更手段と、
前記記憶手段が前記経過時間を記憶していない状態で、前記第２経過時間計数手段により前記単位時間が計数された場合には、当該第２経過時間計数手段により計数された前記経過時間をリセットし、次回の前記回転検出手段による前記検出を前記第１の検出とする計数初期化手段と
を備えることを特徴とする請求項１記載の電子時計。
＜請求項６＞
所定の計数値を計数する計数手段を備え、
前記制御手段は、
前記回転検出手段により回転が検出されるごとに、前記計数手段の計数値を所定数変更し、前記判定手段により前記連続検出であると判定された場合に、前記所定の機能として当該計数値を所定の速度で前記所定数ずつ連続的に変更する
ことを特徴とする請求項１〜５の何れか一項に記載の電子時計。
＜請求項７＞
指針と、
指針を駆動するステッピングモータと、
を備え、
前記制御手段は、前記ステッピングモータを動作させて、前記所定数に対応する位置に前記指針を移動させる
ことを特徴とする請求項６に記載の電子時計。
＜請求項８＞
回転スイッチを備えた電子時計の操作検出方法であって、
当該回転スイッチの回転を所定の回転角度ごとに検出する回転検出ステップと、
前記回転検出ステップによる検出回数が、一の検出タイミングから予め設定された単位時間内に２以上の所定回数以上となった場合に、連続検出であると判定する判定ステップと、
前記判定ステップで連続検出であると判定された場合に、所定の機能を実行する制御ステップと、
を含むことを特徴とする電子時計の操作検出方法。
【符号の説明】
【００７７】
１     電子時計
２     時針
３     分針
４     秒針
３２   輪列機構
３３   輪列機構
３４   輪列機構
４２   時針駆動部
４３   分針駆動部
４４   秒針駆動部
４６   ＣＰＵ
４７   ＲＯＭ
４７ａ リューズ操作検出プログラム
４８   ＲＡＭ
５０   電源部
５１   発振回路
５２   分周回路
５３   計時回路
５４   操作部
５４ａ ボタン
５４ｂ リューズ
【図１】
0005626199.tif 000002
【図２】
0005626199.tif 000003
【図３】
0005626199.tif 000004
【図４】
0005626199.tif 000005
【図５】
0005626199.tif 000006
【図６】
0005626199.tif 000007
【図７】
0005626199.tif 000008
【図８】
0005626199.tif 000009